(57)【要約】【課題】設定項目に関連する複数の設定値のなかで、少なくとも二つの設定値のうちの一つを、一つの押釦の操作によって設定候補とすることができる仕組みを提供する。【解決手段】本発明の画像処理装置は、画像処理機能に関する設定項目又は当該設定項目に関連する少なくとも二つの設定値を、ＲＡＭ４へのデータ登録により、ＵＩ１４の操作パネルに設けられた一つのワンタッチ入力キーに割り当てる処理と、設定項目又は設定値が割り当てられたワンタッチ入力キーが連続して押下された場合に、当該押下回数に応じて設定値の設定候補を切り替える処理とを行なう主制御部２を有する操作装置を備える。【選択図】図１
2010081178.tif 000002
【特許請求の範囲】
【請求項１】
設定項目又は当該設定項目に関連する少なくとも二つの設定値を一つの押釦に割り当てる割り当て手段と、
前記設定項目又は前記設定値が割り当てられた押釦が連続して押下された場合に、当該押下回数に応じて前記設定値の設定候補を切り替える切り替え手段と
を有することを特徴とする操作装置。
【請求項２】
前記割り当て手段は、一つの押釦に対して、処理方式ごとに、異なる設定項目又は設定値を割り当てる手段と、前記押釦に対する設定項目又は設定値の割り当て条件を、操作中の処理方式に応じて切り替える手段とを有する
ことを特徴とする請求項１記載の操作装置。
【請求項３】
前記設定項目又は前記設定値が割り当てられた押釦が押下された場合に、当該押釦に割り当てられている設定項目又は設定値に関する情報を音声で出力する音声出力手段を有する
ことを特徴とする請求項１又は２記載の操作装置。
【請求項４】
操作画面を表示する表示手段と、
前記設定項目又は前記設定値が割り当てられた押釦が連続して押下された場合に、当該押下回数に応じて前記設定候補を切り替えた操作画面を表示するように前記表示手段を制御する表示制御手段と
を有することを特徴とする請求項１、２又は３記載の操作装置。
【請求項５】
設定項目又は当該設定項目に関連する少なくとも二つの設定値を一つの押釦に割り当てる割り当て手段と、
前記設定項目又は前記設定値が割り当てられた押釦が連続して押下された場合に、当該押下回数に応じて前記設定値の設定候補を切り替える切り替え手段と
を有する操作装置を備え、
前記押釦の押下後に処理開始釦が押下された場合に、当該処理開始釦が押下された段階で設定候補となっている設定値を適用して画像処理を行なう
ことを特徴とする画像処理装置。
【発明の詳細な説明】
【技術分野】
【０００１】
本発明は、操作装置及び画像処理装置に関する。
【背景技術】
【０００２】
電子機器を使用する際の各種の設定に関して、例えば、特許文献１には、機能呼び出しキーに対して、複数個の異なる機能について呼び出し順番を設定し、呼び出し順番を操作頻度によって変更していく技術が開示されている。また、特許文献２には、手動スイッチの操作パターンによって所望の印刷機能を指定できるようにし、全ての設定を行なうことなく、一部の設定を行なうだけでパターンに沿った設定を変更する技術が開示されている。
【０００３】
【特許文献１】特開２００１−５５９７号公報
【特許文献２】特開２０００−４３３６６号公報
【発明の開示】
【発明が解決しようとする課題】
【０００４】
本発明の課題は、設定項目に関連する複数の設定値のなかで、少なくとも二つの設定値のうちの一つを、一つの押釦の操作によって設定候補とすることができる仕組みを提供することにある。
【課題を解決するための手段】
【０００５】
請求項１に記載の発明は、設定項目又は当該設定項目に関連する少なくとも二つの設定値を一つの押釦に割り当てる割り当て手段と、前記設定項目又は前記設定値が割り当てられた押釦が連続して押下された場合に、当該押下回数に応じて前記設定値の設定候補を切り替える切り替え手段とを有することを特徴とする操作装置である。
【０００６】
請求項２に記載の発明は、請求項１記載の操作装置において、前記割り当て手段は、一つの押釦に対して、処理方式ごとに、異なる設定項目又は設定値を割り当てる手段と、前記押釦に対する設定項目又は設定値の割り当て条件を、操作中の処理方式に応じて切り替える手段とを有することを特徴とするものである。
【０００７】
請求項３に記載の発明は、請求項１又は２記載の操作装置において、前記設定項目又は前記設定値が割り当てられた押釦が押下された場合に、当該押釦に割り当てられている設定項目又は設定値に関する情報を音声で出力する音声出力手段を有することを特徴とするものである。
【０００８】
請求項４に記載の発明は、請求項１、２又は３記載の操作装置において、操作画面を表示する表示手段と、前記設定項目又は前記設定値が割り当てられた押釦が連続して押下された場合に、当該押下回数に応じて前記設定候補を切り替えた操作画面を表示するように前記表示手段を制御する表示制御手段とを有することを特徴とするものである。
【０００９】
請求項５に記載の発明は、設定項目又は当該設定項目に関連する少なくとも二つの設定値を一つの押釦に割り当てる割り当て手段と、前記設定項目又は前記設定値が割り当てられた押釦が連続して押下された場合に、当該押下回数に応じて前記設定値の設定候補を切り替える切り替え手段とを有する操作装置を備え、前記押釦の押下後に処理開始釦が押下された場合に、当該処理開始釦が押下された段階で設定候補となっている設定値を適用して画像処理を行なうことを特徴とする画像処理装置である。
【発明の効果】
【００１０】
請求項１に記載の発明によれば、設定項目に関連する複数の設定値のなかで、少なくとも二つの設定値のうちの一つを、一つの押釦の操作によって設定候補とすることができる。
【００１１】
請求項２に記載の発明によれば、一つの押釦に対する設定項目又は設定値の割り当てを、操作中の処理方式に応じて自動的に切り替えることができる。
【００１２】
請求項３に記載の発明によれば、利用者が視覚障害者などであっても、当該利用者が押下した押釦に、どのような設定項目又は設定に関する情報が割り当てられているかを認識させることができる。
【００１３】
請求項４に記載の発明によれば、利用者が押釦を連続して押下する場合に、その都度、設定候補を切り替えた操作画面を表示手段に表示させることができる。
【００１４】
請求項５に記載の発明によれば、設定項目に関連する複数の設定値のなかで、少なくとも二つの設定値のうちの一つを、一つの押釦の操作によって設定候補とし、当該設定候補を適用して画像処理を行なうことができる。
【発明を実施するための最良の形態】
【００１５】
以下、本発明の実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００１６】
図１は本発明の実施の形態に係る画像処理装置の構成例を示すブロック図である。ここでは、画像処理装置の一例として、複合機に適用した場合について説明する。複合機は、少なくとも二つの画像処理機能を併せ持つものである。本実施の形態においては、スキャン機能とコピー機能とＦＡＸ（ファクシミリ）機能を併せ持つ複合機への適用を想定する。但し、本発明はこれに限らず、少なくとも一つの画像処理機能を有する画像処理装置、例えば、イメージスキャナなどの画像読取装置や、プリンタ、コピー機などの画像形成装置、ＦＡＸ装置などに適用してもよい。
【００１７】
図示した画像処理装置１においては、主制御部２と、ＣＰＵ(Central Processing Unit)３と、ＲＡＭ(Random Access Memory)４と、ＲＯＭ(Read-Only Memory)５と、ＨＤＤ(Hard Disk Drive)６と、表示制御部７と、操作入力検出部８と、読取制御部９と、画像形成制御部１０と、ＦＡＸＩ／Ｆ(interface)部１１と、ネットワークＩ／Ｆ(interface)部１２が、それぞれ共通のバス１３に接続されている。
【００１８】
主制御部２は、画像処理装置１全体の処理動作を統括的に制御するものである。ＣＰＵ３は、主制御部２からの指示にしたがって演算処理等を行なうものである。ＲＡＭ４は、画像処理装置１の動作を制御するうえで必要となる各種の情報を記憶するために用いられるものである。ＲＯＭ５は、画像処理装置１の動作を制御するためのプログラム等を格納するものである。ＨＤＤ６は、画像情報の蓄積等に用いられるものである。
【００１９】
表示制御部７は、主制御部２からの指示にしたがって、ＵＩ（ユーザインタフェース）１４が備える表示部（後述）を駆動することにより、当該表示部の画面表示を制御するものである。操作入力検出部８は、ＵＩ１４が備える入力機能を用いて、利用者が操作した入力信号を検出するものである。ＵＩ１４は、後述する操作パネルを含むものである。画像処理装置１の操作装置は、少なくとも、主制御部２、ＲＡＭ４、表示制御部７、操作入力検出部８、ＵＩ１４により構成される。
【００２０】
読取制御部９は、主制御部２からの指示にしたがって、原稿読取部１５の駆動を制御するものである。原稿読取部１５は、原稿の画像を光学的に読み取るものである。画像形成制御部１０は、主制御部２からの指示にしたがって、画像形成部１６の駆動を制御するものである。画像形成部１６は、例えば、電子写真方式に基づいて用紙に画像を形成（印刷出力）するものである。
【００２１】
ＦＡＸＩ／Ｆ部１１は、電話回線などの通信回線を介して、図示しない外部の通信機器との間で、ファクシミリデータをやり取り（送受信）するためのインタフェースである。ネットワークＩ／Ｆ部１２は、例えば、ＬＡＮ(Local Area Network)等の通信ネットワークを介して、外部の装置との間で、各種のデータをやり取り（送受信）するためのインタフェースである。
【００２２】
図２はＵＩ１４が備える操作パネルの一例を示す図である。図示した操作パネル２１は、大きくは、表示領域２２と、第１のキー操作領域２３と、第２のキー操作領域２４とに区分されている。各々の領域は、操作パネル２１を操作する利用者から見て、左側から順に、表示領域２２、第１のキー操作領域２３、第２のキー操作領域２４と並んで配置されている。
【００２３】
表示領域２２には、表示手段の一例として、タッチパネル式の表示部２５が設けられている。表示部２５の表示機能は、例えば、液晶表示装置によって実現されるものである。第１のキー操作領域２３及び第２のキー操作領域２４には、それぞれ複数個のハードキー（押釦）が設けられている。具体的には、第１のキー操作領域２３には、テンキー部２６と、オールクリアキー２７と、ストップキー２８と、スタートキー２９などが設けられている。スタートキー２９は、処理開始釦として設けられたものである。第２のキー操作領域２４には、合計３０個のワンタッチ入力キー（001〜030）が設けられている。各々のワンタッチ入力キーには、例えば、画像処理装置１が備える画像処理機能（スキャン機能、コピー機能、ＦＡＸ機能）に関して、個別に設定項目又は設定値が割り当てられる構成となっている。ここで記述する「設定値」とは、設定項目に関連するパラメータとなるものである。例えば、「設定項目」がスキャン機能に関する「読取解像度」であるとすると、「設定値」は、１００dpi、２００dpi、３００dpi、４００dpiなどに相当するものとなる。
【００２４】
なお、画像処理装置１を製品として出荷するときなどの、いわゆるデフォルトの状態では、いずれのワンタッチ入力キーにも、設定項目又は設定値の割り当てが行われていないものとする。但し、本発明はこれに限らず、利用者側で設定頻度が高いと予想される設定項目又は設定値を、デフォルトの状態で、いずれかのワンタッチ入力キーに割り当てておいてもかまわない。
【００２５】
以下に、具体的な割り当ての事例を説明する。ここでは一例として、画像処理装置１に適合する制御ドライバ（制御プログラム）が組み込まれたパーソナルコンピュータ等の端末装置（不図示）を用いて、画像処理装置１にキーの割り当てを指示し、当該指示にしたがって画像処理装置１内でキーの割り当て処理が行なわれる場合を想定する。この場合、端末装置は、画像処理装置１とともに、上記の通信ネットワークに接続されるものとなる。
【００２６】
まず、ワンタッチ入力キーに設定項目又は設定値を割り当てる場合、端末装置を操作する操作者は、当該端末装置で上記制御ドライバを起動した後、例えば、キー割り当て指示モードに移行し、割り当ての対象となるワンタッチ入力キーを選択する。操作者によるワンタッチ入力キーの選択は、例えば、上記の操作パネル２１上のワンタッチ入力キーに付与されたキー番号（001〜030）を、数字キーの入力操作やプルダウンメニューからの選択操作で指定することにより行なうものとする。
【００２７】
その際、操作者がワンタッチ入力キー001を選択すると、端末装置のディスプレイには、図３に示すように、例えば、「コピー機能」に関して、ワンタッチ入力キー001への割り当て候補となる複数の設定項目と、各々の設定項目に関連する複数の設定値とを含む一覧画面が表示される。この一覧画面の最上部には、現在、割り当ての対象となっているワンタッチ入力キーのキー番号の他に、取り消しボタンＢ１と決定ボタンＢ２が設けられている。取り消しボタンＢ１は、操作の取り消しを指示するためのボタンであり、決定ボタンＢ２は、操作の確定を指示するためのボタンである。各々のボタンＢ１，Ｂ２は、例えば、マウス、タッチパッド等の入力機器を用いて選択される。
【００２８】
「コピー機能」に関する設定項目としては、「原稿の画質」、「まとめて１枚」、「用紙選択」、…などが予め用意されている。「原稿の画質」とは、コピー機能に関して、原稿の画質がどのような種別のものであるかを指定するための設定項目である。「まとめて１枚」とは、コピー機能に関して、複数枚の原稿の画像を１枚の用紙にまとめて印刷するように指定するための設定項目である。「用紙選択」とは、コピー機能に関して、原稿画像の印刷に使用する用紙を指定（選択）するための設定項目である。ここで挙げる３つの設定項目はあくまで一例に過ぎず、それ以外にも、例えば、変倍、画像回転、カラーバランスなど、他の設定項目も考えられる。
【００２９】
「原稿の画質」という設定項目に関しては、それに関連する設定値（パラメータ）として、「文字」、「文字/写真」、「写真」、「鉛筆文字」、「地図」といった五つの選択肢が用意されている。「まとめて１枚」という設定項目に関しては、それに関連する設定値として、「しない」、「２枚→１枚」、「４枚→１枚」、「８枚→１枚」といった四つの選択肢が用意されている。「用紙選択」という設定項目に関しては、それに関連する設定値として、「トレイ１」、「トレイ２」、「トレイ３」、「トレイ４」、「トレイ５」といった五つの選択肢が用意されている。
【００３０】
上記図３に示す割り当て候補の一覧画面には、上述した設定項目及び設定値と１：１の対応関係でチェックボタン（チェックボックス）が設けられている。そして、当該一覧画面は、「原稿の画質」に対応するチェックボタンを操作者が上記入力機器を用いて選択した状況を示している。この状況で操作者が一覧画面内の決定ボタンＢ２を選択すると、端末装置から画像処理装置１に割り当て指示信号が出力される。この場合の割り当て指示信号は、ワンタッチ入力キー001に対して、「原稿の画質」という設定項目を割り当てる旨を指示する信号となる。
【００３１】
ちなみに、上記図３に示す一覧画面において、設定項目に対応するチェックボタンは、複数の設定項目を同時に選択できない仕組みになっている。具体的には、例えば、「原稿の画質」に対応するチェックボタンを選択した状況（図例のようにチェック記号が入っている状況）で、他の設定項目、例えば、「まとめて１枚」に対応するチェックボタンを選択する操作を行なった場合は、その操作が無効の扱いとなるか、「原稿の画質」に対応するチェックボタンの選択が取り消され、それに代わって「まとめて１枚」のチェックボタンが選択された状況になる。
【００３２】
また、設定項目に対応するチェックボタンと、これに関連する設定値に対応するチェックボタンは、同時に選択できない仕組みになっている。具体的には、例えば、前述したように「原稿の画質」に対応するチェックボタンを選択した状況で、それに関連する「写真」のチェックボタンを選択する操作を行なった場合は、その操作が無効の扱いとなるか、「原稿の画質」に対応するチェックボタンの選択が取り消され、それに代わって「写真」のチェックボタンが選択された状況になる。また、「原稿の画質」という設定項目に関連する各々の設定値のうち、例えば、「文字」に対応するチェックボタンを選択した状況では、「原稿の画質」に対応するチェックボタンを選択する操作を行なった場合は、その操作が無効の扱いとなるか、「文字」に対応するチェックボタンの選択が取り消され、それに代わって「原稿の画質」に対応するチェックボタンが選択された状況になる。
【００３３】
また、ある一つの設定項目に関連して用意された複数の設定値に対応するチェックボタンは、一つだけ選択する場合と、複数同時に選択する場合の両方に対応する仕組みになっている。このうち、設定項目に関連する設定値のチェックボタンを一つだけ選択した場合は、その後の通常の操作で、割り当て済みのワンタッチ入力キーを１回押したときに、当該ワンタッチ入力キーに割り当てられている設定項目の設定値が一意に呼び出されることになる。設定項目に関連する設定値のチェックボタンを複数同時に選択した場合の対応については、後段で詳しく述べる。
【００３４】
図４に示す割り当て候補の一覧画面は、操作者が割り当ての対象となるワンタッチ入力キーとして、ワンタッチ入力キー002を選択し、かつ「まとめて１枚」に関連する合計四つの設定値のうち、「２枚→１枚」及び「８枚→１枚」に対応する二つのチェックボタンを同時に選択した状況を示している。この状況で操作者が一覧画面内の決定ボタンＢ２を選択すると、端末装置から画像処理装置１に割り当て指示信号が出力される。この場合の割り当て指示信号は、ワンタッチ入力キー002に対して、「２枚→１枚」及び「８枚→１枚」という二つの設定値を割り当てる旨を指示する信号となる。
【００３５】
このようにして操作者が端末装置でワンタッチ入力キーの割り当てのための操作（以下、「割り当て操作」）を行なうと、そこで確定された割り当て情報（ワンタッチ入力キーと設定項目、又はワンタッチ入力キーと設定値を対応付けた情報）を含む割り当て指示信号が、当該端末装置から画像処理装置１に送られる。一方、端末装置からの割り当て指示信号を受けた画像処理装置１では、主制御部２が、上記割り当て情報をデータとしてＲＡＭ４に登録（格納）する処理（以下、「割り当て処理」）を行なう。
【００３６】
例えば、上記図３に示す一覧画面で操作者が決定ボタンＢ２を選択し、これに基づく割り当て指示信号を端末装置から受信した場合、主制御部２は、ＲＡＭ４へのデータ登録により、コピー機能に関する設定項目として、ワンタッチ入力キー001に「原稿の画質」という設定項目を割り当てる。また、上記図４に示す一覧画面で操作者が決定ボタンＢ２を選択し、これに基づく割り当て指示信号を端末装置から受信した場合、主制御部２は、ＲＡＭ４へのデータ登録により、コピー機能に関する「まとめて１枚」という設定項目に関連する設定値として、ワンタッチ入力キー002に「２枚→１枚」及び「８枚→１枚」という二つの設定値を割り当てる。こうしてＲＡＭ４に登録された割り当て情報は、その後の通常の操作で、画像処理装置１の利用者によってワンタッチ入力キーが押下された場合に、主制御部２によって参照される。
【００３７】
なお、ここでは端末装置を用いてワンタッチ入力キーの割り当て操作を行なうものとしたが、これに限らず、画像処理装置１の操作パネル２１を用いて割り当て操作を行なうものとしてもよい。
【００３８】
図５は本発明の実施の形態に係る画像処理装置で行なわれる処理の一例を示すフローチャートである。かかる処理は、利用者の入力操作を操作パネル２１で受け付ける期間（例えば、画像処理装置１が処理待ちで待機している期間や、画像処理装置１の処理中に割り込み操作を受け付ける期間など）であれば、いつでも開始されるものである。
【００３９】
まず、主制御部２は、操作パネル２１の第２のキー操作領域２４に設けられたワンタッチ入力キーが押下されたかどうかを監視する（ステップＳ１）。画像処理装置１の操作パネル２１を用いて、利用者が通常の操作、例えば、コピーのための操作（以下、「コピー操作」）を行なうときに、いずれかのワンタッチ入力キーを押下すると、それに対応する入力信号がＵＩ１４から操作入力検出部８を経由して主制御部２に取り込まれる。このため、主制御部２は、当該入力信号の有無により、ワンタッチ入力キーが押下されたか否かを判断する。
【００４０】
次に、主制御部２は、上記ステップＳ１でワンタッチ入力キーの押下を検知すると、当該ワンタッチ入力キーに設定項目が割り当てられているかどうかを、ＲＡＭ４に格納されている割り当て情報を参照して確認する（ステップＳ２）。そして、該当するワンタッチ入力キーに設定項目が割り当てられていた場合は、当該設定項目用の操作画面が表示部２５に表示されているかどうかを、表示制御部７を介して確認する（ステップＳ３）。ここで、該当する設定項目用の操作画面が表示部２５に表示されていない場合は、設定項目用の操作画面を表示部２５に表示させるべく、表示制御部７に指示を与える（ステップＳ４）。
【００４１】
これにより、例えば、図６（Ａ）に示すコピー用の基本操作画面（初期画面）を表示部２５に表示している状況で、利用者がワンタッチ入力キーを押下し、当該ワンタッチ入力キーに「原稿の画質」という設定項目が割り当てられていた場合は、主制御部２からの指示にしたがって、表示制御部７は、表示部２５に表示する操作画面を、上記基本操作画面から、図６（Ｂ）に示す「原稿の画質」用の操作画面に切り替える。
【００４２】
このとき、操作画面を切り替えるだけでなく、利用者が押下したワンタッチ入力キーに割り当てられている設定項目又は設定値に関する情報を音声で出力する機能を画像処理装置１に持たせてもよい。具体的には、ワンタッチ入力キーにどのような設定項目又は設定値が割り当てられているか、さらに詳しくは、現在いずれの設定項目に関する設定値が設定候補となっているか、といった情報を、画像処理装置１に設けられたスピーカー等を用いて、音声出力により利用者に通知する仕組みとしてもよい。例えば、ワンタッチ入力キーの押下に伴って、上記図６（Ｂ）に示す「原稿の画質」用の操作画面を表示する場合は、「このキーで原稿の画質を設定します。現在の設定は文字になっています。」というメッセージや、「原稿の画質は文字に設定されています。」というメッセージなどを、音声出力により利用者に通知する構成としてもよい。こうした音声出力による通知処理は、利用者がワンタッチ入力キーを押下するたびに行なうものとする。
【００４３】
上記図６（Ａ）に示す基本操作画面は、「基本コピー」タブと、「画質調整」タブと、「読み取り方法」タブと、「出力形式」タブと、「ジョブ編集」タブとを含み、その中で「基本コピー」タブを選択した状況になっている。操作画面の最上段（タブ位置の上側）には、「コピーできます。」という操作案内メッセージが表示されている。
【００４４】
一方、上記図６（Ｂ）に示す「原稿の画質」用の操作画面では、「コピーできます。」という操作案内メッセージの下の枠内に、設定項目のタイトルとなる「原稿の画質」という文字が表示されている。また、当該タイトル文字の右側には、「取り消し」ボタンＢ３と「閉じる」ボタンＢ４が設けられている。また、当該タイトル文字の下の枠内には、「原稿の画質」に関する設定値の選択肢となる「文字」、「文字/写真」、「写真」、「鉛筆文字」、「地図」という文字と、これらの文字と１：１の関係で対応する円形の選択ボタンＳＢ１〜ＳＢ５が設けられている。図中の選択ボタンＳＢ１の塗り潰しは、「原稿の画質」として、現在、「文字」が設定候補となっていることを示している。上記「原稿の画質」用の操作画面内で、いずれかの選択ボタンを押下すると、当該押下した選択ボタンに対応する設定値が設定候補として選択された状態となる。但し、本実施の形態においては、表示部２５の画面（タッチパネル）内の選択ボタンを押下せずに、設定候補を切り替える場合について説明する。
【００４５】
次に、主制御部２は、操作パネル２１で利用者によりキー又はボタンが押下されたかどうかを監視する（ステップＳ５）。その際、主制御部２は、ＵＩ１４から操作入力検出部８を経由して取り込まれる入力信号に基づいて、いずれのキー又はボタンが押下されたかを判断する。
【００４６】
次に、主制御部２は、上記ステップＳ５で押下を検知したキー又はボタンが、ワンタッチ入力キーであるかどうかを判断する（ステップＳ６）。そして、ワンタッチ入力キーでなければ、押下を検知したキー又はボタンの入力信号に基づく処理を実行する（ステップＳ７）。
【００４７】
例えば、スタートキー２９の押下を検知した場合は、コピー処理を行なう。また、オールクリアキー２７の押下を検知した場合は、それまでの操作で設定された内容を取り消す。また、上記図６（Ｂ）に示す操作画面で「取り消し」ボタンＢ３が押下された場合は、表示部２５の画面を、当該操作画面を表示する前に表示していた画面（一つ前の操作画面）に戻す。また、上記図６（Ｂ）に示す操作画面で「閉じる」ボタンＢ４が押下された場合は、その段階で設定候補となっている設定値にしたがって、コピー機能の「原稿の画質」に関する設定を確定するとともに、表示部２５の画面を、基本操作画面又は一つ前の操作画面に戻す。
【００４８】
一方、上記ステップＳ５で押下を検知したキー又はボタンが、ワンタッチ入力キーであった場合は、上記ステップＳ２に戻る。この段階で主制御部２が押下を検知したワンタッチ入力キーは、上記ステップＳ１で押下を検知したワンタッチ入力キーと異なるキーである場合と同じキーである場合の２通りが考えられる。前者の場合は、上記同様に処理が行なわれる。これに対して、後者の場合は、同じワンタッチ入力キーが連続して押下（連打）された状況となる。このため、上記ステップＳ２ではＹｅｓと判断され、上記ステップＳ３でもＹｅｓと判断される。したがって、ステップＳ８の処理に移行する。
【００４９】
ステップＳ８において、主制御部２は、利用者が押下したワンタッチ入力キーに割り当てられている設定項目に関して、これに関連する設定値の設定候補を切り替える処理を行なう。次に、主制御部２は、設定候補を切り替えた設定項目用の操作画面を表示部２５に表示させるべく、表示制御部７に指示を与える（ステップＳ９）。
【００５０】
これにより、例えば、上記図６（Ｂ）に示す「原稿の画質」用の操作画面を表示部２５に表示している状況で、利用者がワンタッチ入力キーを押下し、当該ワンタッチ入力キーに「原稿の画質」という設定項目が割り当てられていた場合は、主制御部２からの指示にしたがって、表示制御部７は、表示部２５の画面を、図６（Ｃ）に示す「原稿の画質」用の操作画面に切り替える。この場合、操作画面の切り替え前・後では、「原稿の画質」に関連する設定値の設定候補が、「文字」から「文字/写真」に切り替わる。
【００５１】
その後、再び同じワンタッチ入力キーを押下（連打）すると、表示部２５の画面は、図７（Ａ）に示す「原稿の画質」用の操作画面に切り替わる。この場合、操作画面の切り替え前・後では、「原稿の画質」に関する設定値の設定候補が、「文字/写真」から「写真」に切り替わる。以降、同じワンタッチ入力キーを押下（連打）するたびに、「原稿の画質」に関連する設定値の設定候補が、「写真」→「鉛筆文字」→「地図」→「文字」→「文字/写真」→…と順に切り替わることになる。ワンタッチ入力キーの押下（連打）に伴う設定候補の切り替えの順序に関しては、予めデフォルトで決められた順序を適用してもよいし、利用者が別途、設定した順序を適用してもよい。
【００５２】
また、例えば上記図７（Ａ）に示す「原稿の画質」用の操作画面を表示している状況で、利用者がスタートキー２９を押下した場合は、その段階で設定候補となっている設定値、即ち「原稿の画質」の設定値に「写真」を適用して、コピー処理を行なうことになる。この場合、コピー処理中は、例えば、図７（Ｂ）に示す操作画面が表示部２５に表示される。図示した操作画面には、「コピーしています。」という操作案内メッセージの他に、「閉じる」ボタンＢ５と、「中止」ボタンＢ６が設けられている。コピー処理中に「閉じる」ボタンＢ５を押下すると、上記基本操作画面に切り替わり、当該「閉じる」ボタンＢ５を押下しないままコピー処理が終了した場合は、その段階で上記基本操作画面に自動的に切り替わる。また、コピー処理中に「中止」ボタンＢ６を押下すると、コピー処理が中止される。
【００５３】
一方、上記ステップＳ２において、該当するワンタッチ入力キーに設定項目が割り当てられていなかった場合は、ステップＳ１０の処理に移行する。ステップＳ１０において、主制御部２は、上記ステップＳ１又はステップＳ６で押下を検知したワンタッチ入力キーに対して、何らかの設定項目に関連する設定値が割り当てられているかどうかを、ＲＡＭ４に格納されている割り当て情報を参照して確認する。そして、ワンタッチ入力キーに設定値が割り当てられていた場合は、当該ワンタッチ入力キーの押下回数（連打した回数）に応じて、設定値の設定候補を切り替える（ステップＳ１１）。例えば、利用者が押下したワンタッチ入力キーに、「２枚→１枚」及び「８枚→１枚」という二つの設定値が割り当てられていたとする。そうした場合、主制御部２は、「まとめて１枚」の設定項目に関する設定値の設定候補を、デフォルト設定の「しない」から、例えば「２枚→１枚」に切り替える。
【００５４】
次に、主制御部２は、設定候補を切り替えた基本操作画面を表示部２５に表示させるべく、表示制御部７に指示を与える（ステップＳ１２）。
【００５５】
これにより、例えば、上記図６（Ａ）に示す基本操作画面を表示部２５に表示している状況で、利用者がワンタッチ入力キーを押下し、当該ワンタッチ入力キーに「２枚→１枚」と「８枚→１枚」という二つの設定値が割り当てられていた場合は、主制御部２からの指示にしたがって、表示制御部７が、表示部２５に表示されている基本操作画面の操作案内メッセージを変更する。具体的には、図８（Ａ）に示すように、現在の設定候補を示す操作案内メッセージが「まとめて１枚＝２枚→１枚」に変更された基本操作画面の表示に切り替える。
【００５６】
その後、再び同じワンタッチ入力キーを押下（連打）すると、表示部２５の画面は、図８（Ｂ）に示すように、操作案内メッセージが「まとめて１枚＝８枚→１枚」に変更された基本操作画面の表示に切り替わる。以降、同じワンタッチ入力キーを押下（連打）するたびに、表示部２５に表示される基本操作画面が、上記図８（Ａ）と図８（Ｂ）の間で交互に切り替わることになる。
【００５７】
また、例えば上記図８（Ｂ）に示す基本操作画面を表示している状況で、利用者がスタートキー２９を押下した場合は、その段階で設定候補となっている設定値、即ち「まとめて１枚」の設定値に「８枚→１枚」を適用して、コピー処理を行なうことになる。この場合、コピー処理中は、例えば、図８（Ｃ）に示す操作画面が表示部２５に表示される。図８（Ｃ）に示す操作画面には、「コピーしています。」という操作案内メッセージの他に、上記同様の「閉じる」ボタンＢ５と、「中止」ボタンＢ６が設けられている。コピー処理中に「閉じる」ボタンＢ５を押下すると、上記基本操作画面に切り替わり、当該「閉じる」ボタンＢ５を押下しないままコピー処理が終了した場合は、その段階で上記基本操作画面に自動的に切り替わる。また、コピー処理中に「中止」ボタンＢ６を押下すると、コピー処理が中止される。
【００５８】
これに対して、利用者が押下したワンタッチ入力キーに設定値が割り当てられていなかった場合は、主制御部２は、表示制御部７に対してメッセージ表示の指示を行なうことにより、利用者が押下したワンタッチ入力キーが無効である旨（設定項目及び設定値が共に割り当てられていない旨）の操作案内メッセージを表示部２５の画面に表示させた後（ステップＳ１３）、一連の処理を終える。この場合、利用者が押下したワンタッチ入力キーが無効である旨を音声出力で通知してもよい。
【００５９】
なお、上記実施の形態においては、コピー機能に関する設定項目又は設定値を、ワンタッチ入力キーに割り当てて処理する場合について説明したが、これに限らず、他の画像処理機能、例えば、「スキャナ機能」、「ＦＡＸ機能」などに関しても、それぞれの画像処理機能に関して、予め用意された設定項目又はこれに関連する設定値を、いずれかのワンタッチ入力キーに割り当てるようにしてもよい。
【００６０】
また、主制御部２によって実現される割り当て手段は、一つのワンタッチ入力キーに対して、画像処理装置１の処理方式（例えば、コピーモード、スキャンモード、ＦＡＸモード等）ごとに、異なる設定項目又は設定値を割り当てる手段と、当該ワンタッチ入力キーに対する設定項目又は設定値の割り当て条件を、操作中の処理方式に応じて切り替える手段とを有する構成としてもよい。具体的には、例えば、一つのワンタッチ入力キー005に対して、処理方式の一つであるコピーモードでは「用紙選択」という設定項目（又は、これに関連する設定値）を割り当て、他の処理方式であるスキャンモードでは「読取解像度」という設定項目（又は、これに関連する設定値）を割り当てる。そして、操作パネル２１を用いて利用者が操作中の処理方式がいずれの方式であるかによって、ワンタッチ入力キーに対する設定項目（又は設定値）の割り当て条件を切り替える。即ち、利用者がコピーモードで操作中にワンタッチ入力キー005を押下した場合は、当該ワンタッチ入力キーに「用紙選択」の割り当てを適用する。また、利用者がスキャンモードで操作中にワンタッチ入力キー005を押下した場合は、当該ワンタッチ入力キー005に「読取解像度」の割り当てを適用する。つまり、画像処理装置１の処理方式に応じて、ワンタッチ入力キー005に対する設定項目又は設定値の割り当てを自動的に切り替える。
【００６１】
また、画像処理装置１は、原稿読取部１５で読み取った原稿の画像データや、ＨＤＤ６に蓄積されている画像データなどを、ＦＡＸシステムを利用して送信するだけでなく、電子メールシステムを利用して送信したり、ＦＴＰ(File Transfer Protocol)を利用して送信（転送）したりする画像送信機能を有するものであってもよい。その場合は、画像データの送信先を特定するための宛先が、ＦＡＸ番号、電子メールアドレス、ＦＴＰアドレスのいずれかで指定されることになる。そのような場合は、画像データの送信方式にかかわらず、画像データの宛先（設定値）を一つのワンタッチ入力キーに複数割り当てて処理してもよい。
【００６２】
例えば、原稿読取部１５で原稿の画像を読み取り、これによって得られた画像データを、宛先で指定された外部の装置に送信する場合は、予め複数の宛先が割り当てられたワンタッチ入力キー003を利用者が押下したときに、主制御部２からの指示にしたがって、表示制御部７は、表示部２５の画面を次のように切り替える。ここでは、ワンタッチ入力キー003に対して、「Ｆａｘ番号１」、「Ｆａｘ番号２」、「Ｅｍａｉｌアドレス」、「ＰＣのＦＴＰアドレス」といった４つの宛先が割り当てられているものとする。そうした場合は、まず、図９（Ａ）に示す宛先設定用の操作画面を表示部２５に表示している状況で、利用者がワンタッチ入力キー003を押下すると、表示部２５の画面が図９（Ｂ）のように切り替わる。即ち、操作画面内の操作案内メッセージは、「宛先を入力してください。」から「スキャンできます。」という表示に変わる。また、操作画面内の宛先欄には、現段階で設定候補となっている「Ｆａｘ番号１」が表示される。
【００６３】
次に、再び利用者がワンタッチ入力キー003を押下すると、表示部２５の画面が図９（Ｃ）のように切り替わる。即ち、操作案内メッセージの表示は変わらずに、宛先欄の表示が「Ｆａｘ番号１」から「Ｆａｘ番号２」に切り替わる。次に、再び利用者がワンタッチ入力キー003を押下すると、表示部２５の画面が図１０（Ａ）のように切り替わる。即ち、操作案内メッセージの表示は変わらずに、宛先欄の表示が「Ｆａｘ番号２」から「Ｅｍａｉｌアドレス」に切り替わる。次に、再び利用者がワンタッチ入力キー003を押下すると、表示部２５の画面が図１０（Ｂ）のように切り替わる。即ち、操作案内メッセージの表示は変わらずに、宛先欄の表示が「Ｅｍａｉｌアドレス」から「ＰＣのＦＴＰアドレス」に切り替わる。以降は、同じワンタッチ入力キー003を連続して押下するたびに、宛先欄の表示が上記の順序で切り替わる。
【００６４】
また、例えば上記図１０（Ｂ）に示す宛先設定用の操作画面を表示している状況で、利用者がスタートキー２９を押下した場合は、その段階で設定候補となっている設定値、即ち画像データの宛先に「ＰＣのＦＴＰアドレス」を適用して、画像送信のための処理（スキャン処理及びデータ送信処理）を行なうことになる。スキャン処理中は、例えば、図１０（Ｃ）に示す操作画面が表示部２５に表示される。図示した操作画面には、「スキャンしています。」という操作案内メッセージの他に、上記同様の「閉じる」ボタンＢ５と、「中止」ボタンＢ６が設けられている。スキャン処理中に「閉じる」ボタンＢ５を押下すると、上記基本操作画面に切り替わり、当該「閉じる」ボタンＢ５を押下しないままスキャン処理及び画像データの送信処理が終了した場合は、その段階で上記基本操作画面に自動的に切り替わる。また、スキャン処理中に「中止」ボタンＢ６を押下すると、スキャン処理又は画像データの送信処理が中止される。
【００６５】
ここで、画像処理装置１における宛先の管理方式として、例えば、一つのグループに複数の宛先が含まれるように、宛先をグループ化して管理する仕組みを採用している場合は、個々の宛先グループを「設定項目」として取り扱い、一つの宛先グループに含まれる複数の宛先を「設定値」として取り扱う仕組みとしてもよい。その場合、例えば、ワンタッチ入力キー004に一つの宛先グループを割り当てるようにすると、利用者がワンタッチ入力キー004を押下したときに、当該宛先グループに含まれる一つの宛先が上記宛先設定用の操作画面の宛先欄に表示される。その後、再び利用者がワンタッチ入力キー004を押下すると、その都度、宛先欄の表示が、当該宛先グループ内の別の宛先に順次切り替わる。
【００６６】
宛先のグループ化は、例えば、端末装置や操作パネル２１を操作して利用者が指定した複数の宛先を一つのグループとして登録する方式で行なってもよいし、「ＦＡＸ番号」、「電子メールアドレス」、「ＦＴＰアドレス」などの送信方式別にグループ化してもよい。また、「ＦＡＸ番号」であれば、市外局番が共通するもの同士でグループ化してもよいし、「電子メールアドレス」であれば、ドメイン名が共通するもの同士でグループ化してもよい。また、宛先の属性情報として、例えば、住所、氏名、勤務先名などの情報が登録されている場合は、県名、市町村名、姓（又は頭文字）、勤務先名などの情報が共通するもの同士でグループ化してもよい。
【００６７】
上記実施の形態においては、第２のキー操作領域２４に設けられたワンタッチ入力キーに設定項目又は設定値を割り当てるものとしたが、本発明はこれに限らず、例えば、第１のキー操作領域２３のテンキー部２６に設けられたキーなど、ハードキー（押釦）であれば、いずれのキーを割り当ての対象としてもよい。
【図面の簡単な説明】
【００６８】
【図１】本発明の実施の形態に係る画像処理装置の構成例を示すブロック図である。
【図２】操作パネルの一例を示す図である。
【図３】ワンタッチ入力キーへの割り当て例を示す図（その１）である。
【図４】ワンタッチ入力キーへの割り当て例を示す図（その２）である。
【図５】本発明の実施の形態に係る画像処理装置で行なわれる処理の一例を示すフローチャートである。
【図６】操作画面の表示例を示す図（その１）である。
【図７】操作画面の表示例を示す図（その２）である。
【図８】操作画面の表示例を示す図（その３）である。
【図９】操作画面の表示例を示す図（その４）である。
【図１０】操作画面の表示例を示す図（その５）である。
【符号の説明】
【００６９】
１…画像処理装置、２…主制御部、４…ＲＡＭ、７…表示制御部、１４…ＵＩ、２１…操作パネル、２２…表示領域、２３…第１のキー操作領域、２４…第２のキー操作領域、２５…表示部
【図１】
2010081178.tif 000003
【図２】
2010081178.tif 000004
【図３】
2010081178.tif 000005
【図４】
2010081178.tif 000006
【図５】
2010081178.tif 000007
【図６】
2010081178.tif 000008
【図７】
2010081178.tif 000009
【図８】
2010081178.tif 000010
【図９】
2010081178.tif 000011
【図１０】
2010081178.tif 000012